(57)【要約】【課題】本考案は、音楽用の譜面の所望の位置に対して着脱可能に付着可能であり、位置ずれが生じることがなく、しかも低価格な音符練習用の補助具を提供する。【解決手段】本考案に係る音符練習用の補助具は、音符部１と、五線譜７１の譜面に着脱可能に付着する付着層とを積層した音符シール１０と、♯マーク２１を表示した透明層と、譜面に着脱可能に付着する付着透明層とを積層した♯シール２０と、♭マーク３１を表示した透明層と、譜面に着脱可能に付着する付着透明層とを積層した♭シール３０と、と音記号４１を表示した透明層と、前記譜面に着脱可能に付着する付着透明層とを積層したと音記号シール４０と、へ音記号５１を表示した透明層と、前記譜面に着脱可能に付着する付着透明層とを積層したへ音記号シール５０とを有するものである。【選択図】図１
0003106111.tif 000002
【実用新案登録請求の範囲】
【請求項１】
音楽用の譜面に着脱可能に付着させる音符練習用の補助具であって、
音符部と、前記譜面に着脱可能に付着する付着層とを積層した音符シールと、
♯マークを表示した透明層と、前記譜面に着脱可能に付着する付着透明層とを積層した♯シールと、
♭マークを表示した透明層と、前記譜面に着脱可能に付着する付着透明層とを積層した♭シールと、
音部記号を表示した透明層と、前記譜面に着脱可能に付着する付着透明層とを積層した音部記号シールと、
を有することを特徴とする音符練習用の補助具。
【請求項２】
音楽用の譜面に着脱可能に付着させる音符練習用の補助具であって、
音符部と、前記譜面に着脱可能に付着する吸盤機能を有する付着層とを積層したアクリル系樹脂からなる音符シールと、
♯マークを表示したポリオレフィン樹脂、ポリエステル樹脂、ポリ塩化ビニール樹脂その他の合成樹脂又は合成紙等のシート又はフィルムにより形成した透明層と、吸盤機能を有するように調合された透明の紫外線硬化型インク又は二液硬化型インクを使用し、前記透明層に印刷成形し硬化させることにより形成され吸盤として前記譜面に着脱可能に付着する付着透明層とを積層した♯シールと、
♭マークを表示したポリオレフィン樹脂、ポリエステル樹脂、ポリ塩化ビニール樹脂その他の合成樹脂又は合成紙等のシート又はフィルムにより形成した透明層と、吸盤機能を有するように調合された透明の紫外線硬化型インク又は二液硬化型インクを使用し、前記透明層に印刷成形し硬化させることにより形成され吸盤として前記譜面に着脱可能に付着する付着透明層とを積層した♭シールと、
音部記号を表示したポリオレフィン樹脂、ポリエステル樹脂、ポリ塩化ビニール樹脂その他の合成樹脂又は合成紙等のシート又はフィルムにより形成した透明層と、吸盤機能を有するように調合された透明の紫外線硬化型インク又は二液硬化型インクを使用し、前記透明層に印刷成形し硬化させることにより形成され吸盤として前記譜面に着脱可能に付着する付着透明層とを積層した音部記号シールと、
を有することを特徴とする音符練習用の補助具。
【請求項３】
音楽用の譜面に着脱可能に付着させる音符練習用の音符シールであって、
音符マークを表示した音符層と、前記譜面に着脱可能に付着する吸盤機能を有する付着層とをアクリル系樹脂による積層構造により形成したことを特徴とする音符シール。
【請求項４】
音楽用の譜面に着脱可能に付着させる音符練習用の♯シールであって、
♯マークを表示した透明層と、前記譜面に着脱可能に付着する付着透明層とを積層してなることを特徴とする♯シール。
【請求項５】
音楽用の譜面に着脱可能に付着させる音符練習用の♯シールであって、
♯マークを表示したポリオレフィン樹脂、ポリエステル樹脂、ポリ塩化ビニール樹脂その他の合成樹脂又は合成紙等のシート又はフィルムにより形成した透明層と、吸盤機能を有するように調合された透明の紫外線硬化型インク又は二液硬化型インクを使用し、前記透明層に印刷成形し硬化させることにより形成され吸盤として前記譜面に着脱可能に付着する付着透明層とを積層してなることを特徴とする♯シール。
【請求項６】
音楽用の譜面に着脱可能に付着させる音符練習用の♭シールであって、
♭シールを表示した透明層と、前記譜面に着脱可能に付着する付着透明層とを積層してなることを特徴とする♭シール。
【請求項７】
音楽用の譜面に着脱可能に付着させる音符練習用の♭シールであって、
♭マークを表示したポリオレフィン樹脂、ポリエステル樹脂、ポリ塩化ビニール樹脂その他の合成樹脂又は合成紙等のシート又はフィルムにより形成した透明層と、吸盤機能を有するように調合された透明の紫外線硬化型インク又は二液硬化型インクを使用し、前記透明層に印刷成形し硬化させることにより形成され吸盤として前記譜面に着脱可能に付着する付着透明層とを積層してなることを特徴とする♭シール。
【請求項８】
音楽用の譜面に着脱可能に付着させる音符練習用の音部記号シールであって、
音部記号を表示した透明層と、前記譜面に着脱可能に付着する付着透明層とを積層してなることを特徴とする音部記号シール。
【請求項９】
音楽用の譜面に着脱可能に付着させる音符練習用の音部記号シールであって、
音部記号を表示したポリオレフィン樹脂、ポリエステル樹脂、ポリ塩化ビニール樹脂その他の合成樹脂又は合成紙等のシート又はフィルムにより形成した透明層と、吸盤機能を有するように調合された透明の紫外線硬化型インク又は二液硬化型インクを使用し、前記透明層に印刷成形し硬化させることにより形成され吸盤として前記譜面に着脱可能に付着する付着透明層とを積層してなることを特徴とする音部記号シール。
【請求項１０】
壁、金属ボード、ガラス、樹脂製ボード、紙等をはじめとする各種の平滑な面に着脱可能に付着する知育教育用の補助具であって、
知育教育用の文字、数字、記号等の教育要素を表示した教育要素部と、この教育要素部に積層した壁、金属ボード、ガラス、樹脂製ボード、紙等をはじめとする各種の平滑な面に着脱可能に付着する吸盤機能を有する付着層と、
を有することを特徴とする知育教育用の補助具。
【請求項１１】
壁、金属ボード、ガラス、樹脂製ボード、紙等をはじめとする各種の平滑な面に着脱可能に付着する知育教育用の補助具であって、
知育教育用の文字、数字、記号等の教育要素を表示した教育要素部と、壁、金属ボード、ガラス、樹脂製ボード、紙等をはじめとする各種の平滑な面に着脱可能に付着する吸盤機能を有する付着層とを、アクリル系樹脂による積層構造により形成したこと特徴とする知育教育用の補助具。
【請求項１２】
壁、金属ボード、ガラス、樹脂製ボード、紙等をはじめとする各種の平滑な面に着脱可能に付着する知育教育用の補助具であって、
知育教育用の文字、数字、記号等の教育要素を表示したポリオレフィン樹脂、ポリエステル樹脂、ポリ塩化ビニール樹脂その他の合成樹脂又は合成紙等のシート又はフィルムにより形成した教育要素部と、
吸盤機能を有するように調合された透明の紫外線硬化型インク又は二液硬化型インクを使用し、前記教育要素部に印刷成形し硬化させることにより形成され吸盤として前記壁、金属ボード、ガラス、樹脂製ボード、紙等をはじめとする各種の平滑な面に着脱可能に付着する付着透明層と、
を積層したことを特徴とする知育教育用の補助具。
【考案の詳細な説明】
【技術分野】
【０００１】
本考案は、音符練習用の補助具、音符シール、♯シール、♭シール及び知育教育用の補助具に関するものである。
【背景技術】
【０００２】
従来、ピアノ等の楽器の演奏技術習得を行う際には、音符や音階を読み取るためにボード等に表示した五線譜に音符シールや音部記号シールを付着させ、この音符シールや音部記号シールの表示内容を見ながら音符等を読み取り、ピアノの鍵盤等に対する指操作を行い音楽を奏でることが行われている。
【０００３】
上述のような従来の音符や音階を読み取るための練習具においては、音符シールや音部記号シールに磁石を付着させるとともに、ボード側をスチールボード等として、磁力を利用して音符シールや音部記号シールをボードに付着させることが行われている。
しかし、収納上、携帯上、コスト安価にするため等の関係から、製造された前記スチールボード等はスチール層が薄く形成されているために、上述した音符シールや音部記号シールが、使用中に、五線譜上の所定の位置から位置ずれしてしまい、音符読み取りの正確性を期す上で支障を生じてしまうという問題があった。また、磁石を付着させた音符シールや音部記号シールは、製品コスト面でも低価格化は難しいという問題もあった。
【０００４】
特許文献１には、音符シールや音部記号シールに磁石を取り付け、この音符シールや音部記号シールを五線譜に着脱自在に付着させて音符読み取りの練習を行うように構成した音符読み取り補助具が提案されている。
【０００５】
しかし、この特許文献１の音符読み取り補助具の場合においても、音符シールや音部記号シールを磁石を利用して五線譜に取り付けるものであるため、既述した場合と同様に五線譜上の所定の位置からの位置ずれが生じてしまい、音符読み取りの正確性を期す上で支障を生じるとともに製品コスト面でも低価格化は難しいという問題を包含している。
【特許文献１】登録実用新案第３０２８６８７号公報
【考案の開示】
【考案が解決しようとする課題】
【０００６】
解決しようとする問題点は、音楽用の譜面の所望の位置に対して着脱可能に付着可能であり、位置ずれが生じることがなく、しかも低価格な音符練習用の補助具が存在しない点である。
【課題を解決するための手段】
【０００７】
本考案は、音楽用の譜面に着脱可能に付着させる音符練習用の補助具であって、音符部と、前記譜面に着脱可能に付着する付着層とを積層した音符シールと、♯マークを表示した透明層と、前記譜面に着脱可能に付着する付着透明層とを積層した♯シールと、♭マークを表示した透明層と、前記譜面に着脱可能に付着する付着透明層とを積層した♭シールと、音部記号を表示した透明層と、前記譜面に着脱可能に付着する付着透明層とを積層した音部記号シールとを有することを最も主要な特徴とする。
【考案の効果】
【０００８】
本考案によれば、以下の効果を奏する。
請求項１、２記載の考案によれば、音楽用の譜面の所望の位置に対して、各々着脱可能に付着可能であり、位置ずれが生じることがなく、しかも低価格に構成した音符部を有する音符シールと、♯マークを表示した透明な♯シールと、♭マークを表示した透明な♭シールと、と音記号、へ音記号等の音部記号を表示した透明な音部記号シールとからなる音符練習用の補助具を提供することができる。
【０００９】
請求項３記載の考案によれば、音楽用の譜面の所望の位置に対して、各々着脱可能に付着可能であり、位置ずれが生じることがなく、しかも低価格に構成した音符部を有する音符シールを提供することができる。
【００１０】
請求項４、５記載の考案によれば、音楽用の譜面の上記音符シールの近傍の所望の位置に対して、各々着脱可能に付着可能であり、位置ずれが生じることがなく、しかも低価格に構成した♯マークを表示した透明な♯シールを提供することができる。
【００１１】
請求項６、７記載の考案によれば、音楽用の譜面の上記音符シールの近傍の所望の位置に対して、各々着脱可能に付着可能であり、位置ずれが生じることがなく、しかも低価格に構成した♭マークを表示した透明な♭シールを提供することができる。
【００１２】
請求項８、９記載の考案によれば、音楽用の譜面の左端の位置に対して着脱可能に付着可能であり、位置ずれが生じることがなく、しかも低価格に構成した音部記号を表示した透明な音部記号シールを提供することができる。
【００１３】
請求項１０乃至１２記載の考案によれば、壁、金属ボード、ガラス、樹脂製ボード、紙等をはじめとする各種の平滑な面の所望の位置に対して、着脱可能に付着可能であり、位置ずれが生じることがなく、しかも低価格に構成した知育教育用の文字、数字、記号等の教育要素を表示した知育教育用の補助具を提供することができる。
【考案を実施するための最良の形態】
【００１４】
本考案は、音楽用の譜面の所望の位置に対して着脱可能に付着可能で、位置ずれが生じることがなく、しかも低価格な音符練習用の補助具を提供するという目的を、音楽用の譜面に着脱可能に付着させる音符練習用の補助具であって、音符部と、前記譜面に着脱可能に付着する吸盤機能を有する付着層とを積層したアクリル系樹脂からなる音符シールと、♯マークを表示したポリオレフィン樹脂、ポリエステル樹脂、ポリ塩化ビニール樹脂その他の合成樹脂又は合成紙等のシート又はフィルムにより形成した透明層と、吸盤機能を有するように調合された透明の紫外線硬化型インク又は二液硬化型インクを使用し、前記透明層に印刷成形し硬化させることにより形成され吸盤として前記譜面に着脱可能に付着する付着透明層とを積層した♯シールと、♭マークを表示したポリオレフィン樹脂、ポリエステル樹脂、ポリ塩化ビニール樹脂その他の合成樹脂又は合成紙等のシート又はフィルムにより形成した透明層と、吸盤機能を有するように調合された透明の紫外線硬化型インク又は二液硬化型インクを使用し、前記透明層に印刷成形し硬化させることにより形成され吸盤として前記譜面に着脱可能に付着する付着透明層とを積層した♭シールと、音部記号を表示したポリオレフィン樹脂、ポリエステル樹脂、ポリ塩化ビニール樹脂その他の合成樹脂又は合成紙等のシート又はフィルムにより形成した透明層と、吸盤機能を有するように調合された透明の紫外線硬化型インク又は二液硬化型インクを使用し、前記透明層に印刷成形し硬化させることにより形成され吸盤として前記譜面に着脱可能に付着する付着透明層とを積層した音部記号シールとを有する構成により実現した。
【実施例】
【００１５】
以下に、本考案の実施例を詳細に説明する。
（実施例１）
図１乃至図１４を参照して本考案の実施例１の音符練習用の補助具について説明する。
【００１６】
図１は、本実施例１の音符練習用の補助具を含む音符練習用セット１及びその収容箱２を示すものである。
収容箱２は、例えば直方体状の箱型に形成され、その内部に音符練習用セット１を収容し、蓋３により収容箱２の開口部を閉塞することで販売等されるように構成している。音符練習用セット１は、本実施例１の補助具の他に音符練習用の譜面を形成する五線譜シート４と、ピアノの鍵盤を模した鍵盤シート５とを具備している。
【００１７】
次に、本実施例１の音符練習用の補助具について以下に詳述する。
この補助具は、音符部１１を有する音符シール１０と、♯マーク２１を表示した♯シール２０と、♭マーク３１を表示した♭シール３０と、音部記号を表示した音部記号シール、すなわち、と音記号４１を表示したと音記号シール４０及びへ音記号５１を表示したへ音記号シール５０とを有している。
【００１８】
音符シール１０は、図２、図３に示すように、アクリル系樹脂からなり、表面を例えば黒色とした音符部１１と、前記五線譜シート４の譜面に着脱可能に付着する吸盤機能を有する付着層（図３にクロス斜線を付して示す）１２とを積層することにより形成している。付着層１２は微細孔が多数形成され、この微細孔が五線譜シート４の譜面に対して吸盤機能を発揮し、これにより、前記音符シール１０を指等で五線譜シート４の所望の位置に確実に付着させ、且つ、容易に離脱可能に構成している。
【００１９】
前記♯シール２０は、図４乃至図６に示すように、♯マーク２１を印刷等により表示したポリオレフィン樹脂、ポリエステル樹脂、ポリ塩化ビニール樹脂その他の合成樹脂又は合成紙等のシート又はフィルムにより形成した透明層２２と、吸盤機能を有するように調合された透明の紫外線硬化型インク又は二液硬化型インクを使用し、前記透明層２２に印刷成形し硬化させることにより形成され、吸盤として前記五線譜シート４の譜面に着脱可能に付着する付着透明層２３とを積層することにより構成している。前記付着透明層２３は、図６に示すように、吸盤機能を発揮する円輪形状、網目形状等の吸盤型の紋様を全面に印刷形成している。
【００２０】
前記♭シール３０は、図７、図８に示すように、前記♯シール２０の場合と同様、♭マーク３１を印刷等により表示したポリオレフィン樹脂、ポリエステル樹脂、ポリ塩化ビニール樹脂その他の合成樹脂又は合成紙等のシート又はフィルムにより形成した透明層３２と、吸盤機能を有するように調合された透明の紫外線硬化型インク又は二液硬化型インクを使用し、前記透明層３２に印刷成形し硬化させることにより形成され、吸盤として前記五線譜シート４の譜面に着脱可能に付着する付着透明層３３とを積層することにより構成している。前記付着透明層３３は、吸盤機能を発揮する円輪形状、網目形状等の吸盤型の紋様を全面に印刷形成している。
【００２１】
前記と音記号シール４０は、図９、図１０に示すように、前記♯シール２０の場合と同様、と音記号４１を印刷等により表示したポリオレフィン樹脂、ポリエステル樹脂、ポリ塩化ビニール樹脂その他の合成樹脂又は合成紙等のシート又はフィルムにより形成した透明層４２と、吸盤機能を有するように調合された透明の紫外線硬化型インク又は二液硬化型インクを使用し、前記透明層４２に印刷成形し硬化させることにより形成され、吸盤として前記五線譜シート４の譜面に着脱可能に付着する付着透明層４３とを積層することにより構成している。前記付着透明層４３は、吸盤機能を発揮する円輪形状、網目形状等の吸盤型の紋様を全面に印刷形成している。
【００２２】
前記へ音記号シール５０は、図１１、図１２に示すように、前記♯シール２０の場合と同様、へ音記号４１を印刷等により表示したポリオレフィン樹脂、ポリエステル樹脂、ポリ塩化ビニール樹脂その他の合成樹脂又は合成紙等のシート又はフィルムにより形成した透明層５２と、吸盤機能を有するように調合された透明の紫外線硬化型インク又は二液硬化型インクを使用し、前記透明層５２に印刷成形し硬化させることにより形成され、吸盤として前記五線譜シート４の譜面に着脱可能に付着する付着透明層５３とを積層することにより構成している。前記付着透明層５３は、吸盤機能を発揮する円輪形状、網目形状等の吸盤型の紋様を全面に印刷形成している。
【００２３】
図１３は本実施例のピアノの鍵盤を模した鍵盤シート６０を示すもので、図１４は本実施例の上述した各種補助具を付着させた状態の五線譜シート４を示すものである。
【００２４】
すなわち、図１４に示す五線譜シート４では、上下２段の五線譜７１、７２を表示して構成され、上段の五線譜７１の左隅には、前記と音記号シール４０を付着し、下段の五線譜７２には、前記へ音記号シール５０を付着し、更に、上段の五線譜７１には前記音符シール１０を例えば「ミ」、「ソ」、「ミ」、「ファ」、・・・の音を意味するように付着し、２番目の「ソ」の近くに前記♯シール２０を付着し、４番目の「ファ」の近くに前記♭シール３０を付着した例を示すものである。なお、図１４に示す例はあくまで一例であることは言うまでもない。
上述した本実施例１によれば、磁石の磁力を一切利用することなく、しかも五線譜７１に付着した場合に位置ずれを生じることなく、剥離も容易であり、五線譜７１に傷を付けることもない補助具、すなわち、音符部１１を有する音符シール１０と、♯マーク２１を表示した♯シール２０と、♭マーク３１を表示した♭シール３０と、と音記号４１を表示したと音記号シール４０と、へ音記号５１を表示したへ音記号シール５０とを含む音符練習用の補助具を提供することができる。
【００２５】
これにより、例えば幼児や小学生等が五線譜７１に、練習する曲の音階、音符を表示し、更に音符の近傍に♯や♭を付着し、前記鍵盤シート５を使用して当該曲の実際のピアノに模したピアノ練習を実行することが可能となる。
【００２６】
また、前記♯シール２０、♭シール３０、と音記号シール４０、へ音記号シール５０は透明であるため、五線譜７１に付着した場合に♯マーク２１、♭マーク３１、と音記号４１、へ音記号５１の各部分以外のシール部分を介して五線譜７１の線を視認でき、これにより音符部１１等の五線譜７１上の位置を確実に視認しつつピアノ練習を実行することが可能となる。
【００２７】
更に、本実施例１によれば、五線譜７１上の所望の位置に対して、磁石を使用することなく各々着脱可能に付着可能であり、位置ずれが生じることがなく、しかも低価格に構成した音符部１１を有する音符シール１０を提供することができる。
【００２８】
また、本実施例１によれば、五線譜７１上の音符シール１０の近傍位置に磁石を使用することなく着脱可能に付着可能であり、位置ずれが生じることがなく、しかも低価格に構成した♯マーク２１を表示した透明な♯シール２０を提供することができる。
【００２９】
また、本実施例１によれば、五線譜７１上の音符シール１０の近傍位置に磁石を使用することなく着脱可能に付着可能であり、位置ずれが生じることがなく、しかも低価格に構成した♭マーク３１を表示した透明な♭シール３０を提供することができる。
【００３０】
更にまた、本実施例１によれば、五線譜７１上の左隅に磁石を使用することなく着脱可能に付着可能であり、位置ずれが生じることがなく、しかも低価格に構成したと音記号４１を表示したと音記号シール４０及びへ音記号５１を表示したへ音記号シール５０を提供することができる。
本考案においては、前記各シールを前記五線譜シート、鍵盤シートの他に、例えば壁、金属ボード、ガラス、樹脂製ボード、紙等をはじめとする各種の平滑な面に容易に自在に付着させたり、離脱したりして用いることができる。
【００３１】
（実施例２）
次に、図１５、図１６を参照して本考案の実施例２について説明する。
本実施例２は、実施例１の場合と同様な構成を知育教育用の補助具に適用するものである。
すなわち、本実施例２の知育教育用の補助具は、図１５に示すように、知育教育用の補助具の一例である算数教育用の数字、加減乗除、等号の各数字、記号を表示したシール群により構成している。
【００３２】
更に詳述すると、本実施例２の知育教育用の補助具は、０、１乃至９の数字を表示した合計１０個の数字シール８１と、「＋」を表示した＋シール８２と、「−」を表示した−シール８３と、「×」を表示した×シール８４と、「÷」を表示した÷シール８５と、「＝」を表示した＝シール８６とからなる全体として１５個構成としている。これら１５個の各補助具は、実施例１の音符シール１０又は♯シール２０等の場合と同様な材質を用い、同様な製造過程を経て形成している。
【００３３】
このような本実施例２の知育教育用の補助具によれば、例えば図１６に示すように、１，２，３の３個の数字シール８１と、＋シール８２と、＝シール８６とを使用して、ボード９０又は図示しない壁、金属ボード、ガラス、樹脂製ボード、紙等をはじめとする各種の平滑な面等々にこれらを付着し、１＋２＝３のような加算の式を表示し、例えば小学生等に対する算数の知育教育を効率よく実施できる。
なお、加算の他、減算、乗算、除算についても同様に実行できることは言うまでもない。
【産業上の利用可能性】
【００３４】
本考案は、上述した音楽教育用の補助具又は知育教育用の補助具の他、例えばメモシール、国語教育用の漢字等の教材、店舗用装飾シール等の分野に幅広く適用できる。
【図面の簡単な説明】
【００３５】
【図１】本考案の実施例１の音符練習用の補助具を含む音符練習用セット及び収容箱を示す斜視図である。
【図２】本実施例１の補助具のうちの音符シールの斜視図である。
【図３】本実施例１の補助具のうちの音符シールの断面図である。
【図４】本実施例１の補助具のうちの♯シールの斜視図である。
【図５】本実施例１の補助具のうちの♯シールの断面図である。
【図６】本実施例１の補助具のうちの♯シールの底面図である。
【図７】本実施例１の補助具のうちの♭シールの斜視図である。
【図８】本実施例１の補助具のうちの♭シールの断面図である。
【図９】本実施例１の補助具のうちのと音記号シールの斜視図である。
【図１０】本実施例１の補助具のうちのと音記号シールの断面図である。
【図１１】本実施例１の補助具のうちのへ音記号シールの斜視図である。
【図１２】本実施例１の補助具のうちのへ音記号シールの断面図である。
【図１３】本実施例１の鍵盤シートの平面図である。
【図１４】本実施例１の各種補助具を付着させた状態の五線譜シートの平面図である。
【図１５】本考案の実施例２の知育教育用の補助具を示す平面図である。
【図１６】本考案の実施例２の知育教育用の補助具の使用例を示す平面図である。
【符号の説明】
【００３６】
１    音符練習用セット
２    収容箱
３    蓋
４    五線譜シート
５    鍵盤シート
１０    音符シール
１１    音符部
１２    付着層
２０    ♯シール
２１    ♯マーク
２２    透明層
２３    付着透明層
３０    ♭シール
３１    ♭マーク
３２    透明層
３３    付着透明層
４０    と音記号シール
４１    と音記号
４２    透明層
４３    付着透明層
５０    へ音記号シール
５１    へ音記号
５２    透明層
５３    付着透明層
６０    鍵盤シート
７１    五線譜
７２    五線譜
８１    数字シール
８２    ＋シール
８３    −シール
８４    ×シール
８５    ÷シール
８６    ＝シール
９０    ボード
【図１】
0003106111.tif 000003
【図２】
0003106111.tif 000004
【図３】
0003106111.tif 000005
【図４】
0003106111.tif 000006
【図５】
0003106111.tif 000007
【図６】
0003106111.tif 000008
【図７】
0003106111.tif 000009
【図８】
0003106111.tif 000010
【図９】
0003106111.tif 000011
【図１０】
0003106111.tif 000012
【図１１】
0003106111.tif 000013
【図１２】
0003106111.tif 000014
【図１３】
0003106111.tif 000015
【図１４】
0003106111.tif 000016
【図１５】
0003106111.tif 000017
【図１６】
0003106111.tif 000018